(57)【特許請求の範囲】
【請求項１】
第１セルを有する第１通信システム及び第２セルを有する第２通信システムを有する移動通信システムにおいて、前記第１セルと前記第２セルとの間の遷移を行うように構成された移動通信端末であって、
前記第１通信システムに設けられ、前記第２セルのサービスエリアの周囲に設けられた特定セルを検出するように構成された検出部と、
前記特定セルの検出に応じて、前記第２セルの測定或いは前記第１セルから前記第２セルへの遷移を開始するように構成された制御部とを備え、
前記特定セルは、前記第２セルのサービスエリアと同じ範囲をサービスエリアとして有し、
前記第１セルと、前記第２セル及び前記特定セルのサービスエリアが重複しており、
前記制御部は、前記特定セルが検出された場合に、前記特定セルから報知される報知情報に応じて、前記第１セルから前記第２セルへの遷移を開始し、
前記報知情報は、前記第１セルから前記第２セルへの遷移を誘導するための情報を含むとともに、前記特定セルのサービスエリアに存在する前記移動通信端末に到達するように報知されることを特徴とする移動通信端末。
【請求項２】
前記報知情報には、前記特定セルへのアクセスが制限されているか否かを示す情報、前記特定セルを特定する情報、前記第２セルを特定する情報、前記第２セルへの遷移を指示する情報の少なくとも何れかが含まれることを特徴とする請求項１に記載の移動通信端末。
【請求項３】
前記制御部は、前記移動通信端末が前記第１セルとコネクト状態において前記特定セルが検出された場合に、ハンドオーバ手順によって、前記第１セルから前記第２セルへの遷移を行うことを特徴とする請求項１に記載の移動通信端末。
【請求項４】
第１セルを有する第１通信システム及び第２セルを有する第２通信システムとに接続可能な移動通信端末を制御する移動通信システムであって、
前記第１通信システムに設けられ、前記第２セルのサービスエリアの周囲に設けられた特定セルは、前記第２セルのサービスエリアと同じ範囲をサービスエリアとして有し、
前記第１セルと、前記第２セル及び前記特定セルのサービスエリアが重複しており、
前記特定セルが形成するサービスエリアに向けて、前記移動通信端末による前記第２セルの測定或いは前記移動通信端末に前記第１セルから前記第２セルへの遷移を開始させるために必要な情報要素を搭載した報知情報を送信する報知情報送信部を備え、
前記報知情報は、前記第１セルから前記第２セルへの遷移を誘導するための情報を含むとともに、前記特定セルのサービスエリアに存在する前記移動通信端末に到達するように報知されることを特徴とする移動通信システム。
【請求項５】
前記報知情報には、前記特定セルへのアクセスが制限されているか否かを示す情報、前記特定セルを特定する情報、前記第２セルを特定する情報、前記第２セルへの遷移を指示する情報の少なくとも何れかが含まれることを特徴とする請求項４に記載の移動通信システム。
【請求項６】
前記移動通信端末が前記第１セルとコネクト状態において前記特定セルが前記移動通信端末によって検出された場合に、ハンドオーバ手順によって、前記第１セルから前記第２セルへの遷移を行うことを前記移動通信端末に指示する遷移指示部を備える請求項４に記載の移動通信システム。
【請求項７】
第１セルを有する第１通信システム及び第２セルを有する第２通信システムとに接続可能な移動通信端末を制御する移動通信方法であって、
前記第１通信システムに設けられ、前記第２セルのサービスエリアの周囲に設けられた特定セルは、前記第２セルのサービスエリアと同じ範囲をサービスエリアとして有しており、
前記第１セルと、前記第２セル及び前記特定セルのサービスエリアが重複しており、
移動通信システムが、前記特定セルが形成するサービスエリアに向けて、前記移動通信端末による前記第２セルの測定或いは前記移動通信端末に前記第１セルから前記第２セルへの遷移を開始させるために必要な情報要素を搭載した報知情報を送信するステップと、
前記移動通信端末が、前記第１通信システムに設けられた特定セルが形成するサービスエリアにおける前記報知情報の検出に応じて、前記第２セルの測定或いは前記第１セルから前記第２セルへの間の遷移を開始するステップとを備え、
前記報知情報は、前記第１セルから前記第２セルへの遷移を誘導するための情報を含むとともに、前記特定セルのサービスエリアに存在する前記移動通信端末に到達するように報知されることを特徴とする移動通信方法。
【請求項８】
前記報知情報には、前記特定セルへのアクセスが制限されているか否かを示す情報、前記特定セルを特定する情報、前記第２セルを特定する情報、前記第２セルへの遷移を指示する情報の少なくとも何れかが含まれることを特徴とする請求項７に記載の移動通信方法。
【発明の詳細な説明】
【技術分野】
【０００１】
第１通信システムと第２通信システムとの間の遷移を行うように構成された移動通信端末、移動通信システム及び移動通信方法に関する。
【背景技術】
【０００２】
マクロセルなどの第１セルを有する第１通信システムから、ＣＳＧセルやフェムトセルなどの第２セルを有する第２通信システムに対して、移動通信端末を遷移させる技術が知られている（例えば、特許文献１）。【０００３】
また、第１通信システムから報知される情報等を用いて、第１通信システムから第２通信システムに遷移するように移動通信端末を誘導する技術も知られている。
【先行技術文献】
【特許文献】
【０００４】
【特許文献１】特表２００９−１２４６７１号公報
【発明の概要】
【０００５】
ここで、第１通信システムに設けられた第１セルのサービスエリアは、第２通信システムに設けられた第２セルのサービスエリアと完全には重複していないことが考えられる。すなわち、第１セルから報知される情報に応じて、第２セルの測定を開始した場合に、第２セルのサービスエリア内に移動通信端末が存在していないことが考えられる。
【０００６】
このようなケースでは、移動通信端末が冗長な測定を行ってしまい、移動通信端末の電池が不要に消耗してしまう。
【０００７】
そこで、本発明は、上述した課題を解決するためになされたものであり、電池消耗を抑制しながら、第１通信システムと第２通信システムとの間の遷移を適切に行うことを可能とする移動通信端末、移動通信システム及び移動通信方法を提供することを目的とする。
【０００８】
第１の特徴に係る移動通信端末は、第１セルを有する第１通信システム及び第２セルを有する第２通信システムを有する移動通信システムにおいて、前記第１セルと前記第２セルとの間の遷移を行うように構成される。移動通信端末は、前記第１通信システムに設けられた特定セルを検出するように構成された検出部と、前記特定セルの検出に応じて、前記第２セルの測定或いは前記第１セルから前記第２セルへの遷移を開始するように構成された制御部とを備える。前記特定セルは、前記第２セルのサービスエリアと同じ範囲をサービスエリアとして有する。
【０００９】
第１の特徴において、前記制御部は、前記特定セルが検出された場合に、前記特定セルから報知される報知情報に応じて、前記第１セルから前記第２セルへの遷移を開始する。前記報知情報は、前記第１セルから前記第２セルへの遷移を誘導するための情報を含む。また、前記報知情報は、前記第１セルから前記第２セルに遷移させる必要がある移動通信端末を限定する情報（例えば、ＣＳＧ； Ｃｌｏｓｅｄ  Ｓｕｂｓｃｒｉｂｅｒ  Ｇｒｏｕｐ  ＩＤ）を含んでもよい。
【００１０】
第１の特徴において、前記制御部は、前記移動通信端末が前記第１セルとコネクト状態において前記特定セルが検出された場合に、ハンドオーバ手順によって、前記第１セルから前記第２セルへの遷移を行う。
【００１１】
第２の特徴に係る移動通信システムは、第１セルを有する第１通信システム及び第２セルを有する第２通信システムとに接続可能な移動通信端末を制御する。前記特定セルは、前記第２セルのサービスエリアと同じ範囲をサービスエリアとして有している。前記第１通信システムに設けられた特定セルが形成するサービスエリアに向けて、前記移動通信端末による前記第２セルの測定或いは前記移動通信端末に前記第１セルから前記第２セルへの遷移を開始させるために必要な情報要素を搭載した報知情報を送信する報知情報送信部を備える。
【００１２】
第２の特徴において、前記移動通信端末が前記第１セルとコネクト状態において前記特定セルが前記移動通信端末によって検出された場合に、ハンドオーバ手順によって、前記第１セルから前記第２セルへの遷移を行うことを前記移動通信端末に指示する遷移指示部を備えてもよい。
【００１３】
第３の特徴に係る移動通信方法は、第１セルを有する第１通信システム及び第２セルを有する第２通信システムとに接続可能な移動通信端末を制御する移動通信方法である。前記特定セルは、前記第２セルのサービスエリアと同じ範囲をサービスエリアとして有している。当該移動通信方法は、移動通信システムが、前記第１通信システムに設けられた特定セルが形成するサービスエリアに向けて、前記移動通信端末による前記第２セルの測定或いは前記移動通信端末に前記第１セルから前記第２セルへの遷移を開始させるために必要な情報要素を搭載した報知情報を送信するステップと、前記移動通信端末が、前記第１通信システムに設けられた特定セルが形成するサービスエリアにおける前記報知情報の検出に応じて、前記第２セルの測定或いは前記第１セルから前記第２セルへの間の遷移を開始するステップとを備える。
【図面の簡単な説明】
【００１４】
【図１】図１は、第１実施形態に係る移動通信システム１００を示す図である。
【図２】図２は、第１実施形態に係るセルの構成を示す図である。
【図３】図３（ａ）〜（ｃ）は、第１実施形態に係るＵＥ１０、パイロットＨＮＢ及びＲＮＣ１２０Ａの機能ブロック図である。
【図４】図４は、第１実施形態に係る移動通信システム１００の動作を示すシーケンス図である。
【図５】図５は、変更例１に係るセルの構成を示す図である。
【図６】図６は、変更例２に係る移動通信システム１００を示す図である。
【図７】図７は、変更例３に係る移動通信システム１００を示す図である。
【発明を実施するための形態】
【００１５】
以下において、本発明の実施形態に係る移動通信システムについて、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［実施形態の概要］
実施形態に係る移動通信端末は、第１セルを有する第１通信システム及び第２セルを有する第２通信システムを有する移動通信システムにおいて、第１セルと第２セルとの間の遷移を行うように構成される。移動通信端末は、第１通信システムに設けられた特定セルを検出するように構成された検出部と、特定セルの検出に応じて、第２セルの測定或いは第１セルから第２セルへの遷移を開始するように構成された制御部とを備える。特定セルは、第２セルのサービスエリアと同じ範囲をサービスエリアとして有する。
【００１８】
実施形態では、特定セルは、第２セルのサービスエリアと同じ範囲をサービスエリアとして有しており、移動通信端末は、特定セルの検出に応じて、第２セルの測定或いは第１セルから第２セルへの遷移を開始する。従って、第２セルについて冗長な測定が抑制され、電池消耗を抑制しながら、第１通信システム（第１セル）と第２通信システム（第１セル）との間の遷移を適切に行うことができる。
【００１９】
なお、「特定セルは、第２セルのサービスエリアと同じ範囲をサービスエリアとして有する」とは、特定セルが、第２セルが形成するサービスエリアと同等サイズのエリアをカバレッジとして有することを意味する。すなわち、特定セルが形成するサービスエリアのサイズと、第２セルが形成するサービスエリアのサイズとは、必ずしも同じ範囲でなくてもよく、カバレッジが多少ずれていたり、特定セルのサービスエリアのサイズが、第２セルが形成するサービスエリアのサイズよりも多少小さかったりしてもよい。
【００２０】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２１】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２２】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、パイロットホーム基地局１１０Ｂ（以下、パイロットＨＮＢ１１０Ｂ）と、ＲＮＣ１２０Ａと、ＳＧＳＮ１３０とを有する。
【００２３】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、ホーム基地局２１０（以下、ＨｅＮＢ２１０）と、ホーム基地局ゲートウェイ２２０（以下、ＨｅＮＢ−ＧＷ２２０）と、ＭＭＥ２３０とを有する。
【００２４】
ＵＥ１０は、第１通信システムと第２通信システムとの間を遷移可能に構成された装置（Ｕｓｅｒ  Ｅｑｕｉｐｍｅｎｔ）である。例えば、ＵＥ１０は、ＮＢ１１０Ａと無線通信を行う機能を有するとともに、ＨｅＮＢ２１０と無線通信を行う機能を有する。
【００２５】
ＮＢ１１０Ａには、サービスエリア１１１Ａが割り当てられており、ＮＢ１１０Ａは、サービスエリア１１１Ａに存在するＵＥ１０と無線通信を行う装置（ＮｏｄｅＢ）である。
【００２６】
パイロットＨＮＢ１１０Ｂには、サービスエリア１１１Ｂが割り当てられており、パイロットＨＮＢ１１０Ｂは、サービスエリア１１１Ｂに存在するＵＥ１０に到達するように報知情報（例えば、ＳＩＢ１；Ｓｙｓｔｅｍ  Ｉｎｆｏｒｍａｔｉｏｎ  Ｂｌｏｃｋ  ｔｙｐｅ１）を報知する装置（Ｈｏｍｅ  ＮｏｄｅＢ）である。なお、パイロットＨＮＢ１１０Ｂは、サービスエリア１１１Ｂに存在するＵＥ１０と無線通信を行うように構成されていてもよい。
【００２７】
ＲＮＣ１２０Ａは、ＮＢ１１０Ａに接続されており、サービスエリア１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。ＲＮＣ１２０Ａは、パイロットＨＮＢ１１０Ｂに接続されており、サービスエリア１１１Ｂに存在するＵＥ１０と無線接続を設定してもよい。
【００２８】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ； Ｍｏｂｉｌｅ  Ｓｗｉｔｃｈｉｎｇ  Ｃｅｎｔｅｒ）がコアネットワーク５０に設けられていてもよい。
【００２９】
ＨｅＮＢ２１０には、サービスエリア２１１が割り当てられており、ＨｅＮＢ２１０は、サービスエリア２１１に存在するＵＥ１０と無線通信を行う装置（Ｈｏｍｅ  ｅｖｏｌｖｅｄ  ＮｏｄｅＢ）である。
【００３０】
ＨｅＮＢ−ＧＷ２２０は、ＨｅＮＢ２１０に接続されており、ＨｅＮＢ２１０を管理する装置（Ｈｏｍｅ  ｅｖｏｌｖｅｄ  ＮｏｄｅＢ  Ｇａｔｅｗａｙ）である。
【００３１】
ＭＭＥ２３０は、ＨｅＮＢ−ＧＷ２２０を介してＨｅＮＢ２１０と接続されており、ＨｅＮＢ２１０と無線接続を設定しているＵＥ１０の移動性を管理する装置（Ｍｏｂｉｌｉｔｙ  Ｍａｎａｇｅｍｅｎｔ  Ｅｎｔｉｔｙ）である。
【００３２】
（セルの構成）
以下において、第１実施形態に係るセルの構成について、図面を参照しながら説明する。図２は、第１実施形態に係るセルの構成を示す図である。
【００３３】
第１実施形態において、セルは、ＵＥ１０と無線通信を行う機能であり、周波数、拡散コード又はタイムスロットなどによって識別される。また、セルは、ＮＢ１１０Ａ、パイロットＨＮＢ１１０Ｂ及びＨｅＮＢ２１０に設けられる。
【００３４】
第１実施形態では、ＮＢ１１０Ａが、３つの第１セル（第１セル＃１、第１セル＃２及び第１セル＃３）を有するケースを例示する。また、パイロットＨＮＢ１１０Ｂが、３つの特定セル（特定セル＃１、特定セル＃２及び特定セル＃３）を有するケースを例示する。ＨｅＮＢ２１０が、１つの第２セルを有するケースを例示する。
【００３５】
図２に示すように、ＮＢ１１０Ａに設けられた第１セルのサービスエリア１１１Ａは、互いに同じ範囲を有している。詳細には、第１セル＃１のサービスエリア１１１Ａ（＃１）、第１セル＃２のサービスエリア１１１Ａ（＃２）及び第１セル＃３のサービスエリア１１１Ａ（＃３）は、互いに同じ範囲を有している。
【００３６】
パイロットＨＮＢ１１０Ｂに設けられた特定セルのサービスエリア１１１Ｂは、互いに同じ範囲を有している。詳細には、特定セル＃１のサービスエリア１１１Ｂ（＃１）、特定セル＃２のサービスエリア１１１Ｂ（＃２）及び特定セル＃３のサービスエリア１１１Ｂ（＃３）は、互いに同じ範囲を有している。
【００３７】
ここで、パイロットＨＮＢ１１０Ｂに設けられた特定セルのサービスエリア１１１Ｂは、ＨｅＮＢ２１０に設けられた第２セルのサービスエリア２１１と同じ範囲を有している。すなわち、パイロットＨＮＢ１１０Ｂに設けられた特定セルは、ＨｅＮＢ２１０に設けられた第２セルのサービスエリア２１１と同じ範囲をサービスエリア１１１Ｂとして有する。
【００３８】
また、ＨｅＮＢ２１０に設けられた第２セルのサービスエリア２１１は、ＮＢ１１０Ａに設けられた第１セルのサービスエリア１１１Ａと異なっている。なお、第１実施形態では、ＨｅＮＢ２１０に設けられた第２セルのサービスエリア２１１は、ＮＢ１１０Ａに設けられた第１セルのサービスエリア１１１Ａよりも狭い。ただし、実施形態は、これに限定されるものではない。
【００３９】
なお、ＮＢ１１０Ａに設けられた第１セルは、マクロセルと称されることもある。ＨｅＮＢ２１０に設けられた第２セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。
【００４０】
また、ＨｅＮＢ２１０に設けられた第２セルは、ＨｅＮＢ２１０に設けられたセルにアクセス可能なＵＥ１０を規定するアクセス種別が定められていてもよい。アクセス種別は、「Ｃｌｏｓｅｄ」、「Ｈｙｂｒｉｄ」又は「Ｏｐｅｎ」である。
【００４１】
「Ｃｌｏｓｅｄ」の第２セル（フェムトセル）は、ＨｅＮＢ２１０によって管理される特定のＵＥ１０のアクセスのみが許可されるように構成される。
【００４２】
「Ｈｙｂｒｉｄ」の第２セル（フェムトセル）は、ＨｅＮＢ２１０によって管理される特定のＵＥ１０に対して高品質の通信が許可されるように構成されており、ＨｅＮＢ２１０によって管理されていない他のＵＥ１０に対してベストエフォート品質の通信が許可されるように構成される。
【００４３】
「Ｏｐｅｎ」の第２セル（フェムトセル）は、第１セル（マクロセル）と同様に、全てのＵＥ１０のアクセスが許可されるように構成される。なお、「Ｏｐｅｎ」のセルでは、ＨｅＮＢ２１０によって管理されている否かによって、ＵＥ１０間の通信品質の差異が区別されない。
【００４４】
なお、アクセス種別は、アクセスクラス毎にＵＥ１０のアクセスを禁止する「ＡＣＣＥＳＳ  ＣＬＡＳＳ  ＢＡＲＥＤ」、セル毎にＵＥ１０のアクセスを禁止する「ＣＥＬＬ  ＢＡＲＲＥＤ」であってもよい。
【００４５】
（移動通信システム及び移動通信端末の機能ブロック構成）
次に、移動通信システムの機能ブロック構成について説明する。具体的には、パイロットＨＮＢ１１０Ｂ及びＲＮＣ１２０Ａの機能ブロック構成について説明する。また、ＵＥ１０の機能ブロック構成について説明する。
【００４６】
（１）パイロットＨＮＢ１１０Ｂ
図３（ａ）は、第１実施形態に係るパイロットＨＮＢ１１０Ｂの機能ブロック構成図である。図３（ａ）に示すように、パイロットＨＮＢ１１０Ｂは、報知情報送信部１１３と、通信部１１５とを有する。
【００４７】
報知情報送信部１１３は、ＵＥ１０によって特定セルが検出された場合に、ＵＥ１０による第２セルの測定を開始させる報知情報を、特定セルが形成するサービスエリア１１１Ｂに向けて送信する。
【００４８】
また、報知情報送信部１１３は、ＵＥ１０によって特定セルが検出された場合に、ＵＥ１０に第１セルから第２セルへの遷移を開始させるために必要な情報要素を搭載した報知情報を、サービスエリア１１１Ｂに向けて送信する。具体的には、報知情報は、当該情報要素として特定セルへのアクセスが制限されているか否かを示す情報（ＣＳＧ  Ｉｎｄｉｃａｔｏｒ／Ｉｎｄｉｃａｔｉｏｎ）、特定セルを特定する情報（ＣＳＧ  Ｉｄｅｎｔｉｔｙ、Ｃｅｌｌ  Ｉｄｅｎｔｉｔｙ）、第２セルを特定する情報（Ｅｖｏｌｖｅｄ  ＣＳＧ  Ｉｄｅｎｔｉｔｙ、Ｃｅｌｌ  Ｉｄｅｎｔｉｔｙ、Ｐｈｙｓｉｃａｌ  Ｃｅｌｌ  Ｉｄｅｎｔｉｔｙ）、第２セルへの遷移を指示する情報（Ｐｒｉｏｒｉｔｙ、ＥＡＲＦＣＮ）の少なくとも何れかを含む。
【００４９】
通信部１１５は、ＵＥ１０と無線通信を行う。また、通信部１１５は、報知情報送信部１１３によって送信される報知情報を、無線信号としてサービスエリア１１１Ｂに向けて送信する。
【００５０】
（２）ＲＮＣ１２０Ａ
図３（ｂ）は、第１実施形態に係るＲＮＣ１２０Ａの機能ブロック構成図である。図３（ｂ）に示すように、ＲＮＣ１２０Ａは、状態取得部１２３と、遷移指示部１２５とを有する。
【００５１】
状態取得部１２３は、パイロットＨＮＢ１１０Ｂ或いはＮＢ１１０Ａを介して、ＵＥ１０の状態を取得する。具体的には、状態取得部１２３は、パイロットＨＮＢ１１０Ｂによって送信された報知情報に基づいてＵＥ１０が測定した受信品質（Ｍｅａｓｕｒｅｍｅｎｔ  Ｒｅｐｏｒｔ）を取得する。
【００５２】
遷移指示部１２５は、ＵＥ１０の他の通信システム（セル）への遷移を、ＵＥ１０に対して指示する。具体的には、遷移指示部１２５は、ＵＥ１０が第１セルとコネクト状態において特定セルがＵＥ１０によって検出された場合に、ハンドオーバ手順によって、第１セルから第２セルへの遷移を行うことをＵＥ１０に指示する。
【００５３】
（３）ＵＥ１０
図３（ｃ）は、第１実施形態に係るＵＥ１０の機能ブロック構成図である。図３（ｃ）に示すように、ＵＥ１０は、通信部１１と、検出部１２と、制御部１３とを有する。
【００５４】
通信部１１は、ＮＢ１１０Ａと無線通信を行う。また、通信部１１は、ＨｅＮＢ２１０と無線通信を行う。さらに、通信部１１は、パイロットホーム基地局１１０Ｂから報知情報を受信する。
【００５５】
検出部１２は、パイロットホーム基地局１１０Ｂに設けられた特定セルを検出する。例えば、検出部１２は、パイロットホーム基地局１１０Ｂに設けられた特定セルから報知される信号（例えば、パイロットチャネル）によって特定セルを検出する。
【００５６】
制御部１３は、ＵＥ１０を統括的に制御する。例えば、制御部１３は、第１通信システムと第２通信システムとの間の遷移（セル選択やハンドオーバ）を制御する。
【００５７】
例えば、ＵＥ１０は、パイロットＨＮＢ１１０Ｂによって管理される特定セルの検出に応じて、第１通信システム（ＮＢ１１０Ａによって管理される第１セル）から第２通信システム（ＨｅＮＢ２１０によって管理される第２セル）への遷移を開始する。
【００５８】
ここで、第１セルから第２セルへの遷移としては、例えば、以下に示すケースが考えられる。
【００５９】
（３．１）ケース１
第１セルにおいてＵＥ１０がアイドル状態である場合に、ＵＥ１０は、特定セルから報知される報知情報を用いずに、第１セルから第２セルへの遷移を開始する。
【００６０】
具体的には、ＵＥ１０は、特定セルが検出された場合に、ＵＥ１０に予め記憶された第２セルの周波数を特定して、第２セルから報知される信号（例えば、パイロットチャネル）の受信品質を測定する。ＵＥ１０は、第２セルから報知される信号の受信品質が所定品質を満たした場合に、第１セルから第２セルへの遷移を開始する。
【００６１】
なお、第１セルにおいてＵＥ１０が位置登録を行っているため、第２セルの周波数を特定するために、間欠受信（ＤＲＸ）が用いられる。すなわち、ＵＥ１０は、第１セルからの信号を監視していない期間において、第２セルの周波数を探索する。
【００６２】
また、第１セルから第２セルへの遷移を行うか否かについては、ＵＥ１０から報告される受信品質に基づいて、ＲＮＣ１２０Ａ（或いは、ＨｅＮＢ２１０やＨｅＮＢ−ＧＷ２２０）によって判断される。
【００６３】
（３．２）ケース２
第１セルにおいてＵＥ１０がアイドル状態である場合に、ＵＥ１０は、特定セルから報知される報知情報に応じて、第１セルから第２セルへの遷移を開始する。
【００６４】
ケース２では、特定セルから報知される報知情報は、例えば、特定セルへのアクセスが制限されているか否かを示す情報（ＣＳＧ  Ｉｎｄｉｃａｔｏｒ／Ｉｎｄｉｃａｔｉｏｎ）、特定セルを特定する情報（ＣＳＧ  Ｉｄｅｎｔｉｔｙ）、第２セルを特定する情報（Ｅｖｏｌｖｅｄ  ＣＳＧ  Ｉｄｅｎｔｉｔｙ）などを含む。また、報知情報は、第１セルから第２セルへの遷移（Ｉｎｔｅｒ−ＲＡＴ）を誘導するための情報として、第１セル及び第２セルの優先度（Ｐｒｉｏｒｉｔｙ）を示す情報を含んでいてもよい。
【００６５】
具体的には、第１に、ＵＥ１０は、特定セルが検出された場合に、特定セルから報知される報知情報（例えば、ＣＳＧ  Ｉｄｅｎｔｉｔｙ、Ｐｒｉｏｒｉｔｙ）に応じて、特定セルのサービスエリアと同じ範囲を有する第２セルの周波数を特定する。第２に、ＵＥ１０は、第２セルから報知される信号（例えば、パイロットチャネル）の受信品質を測定する。ＵＥ１０は、第２セルから報知される信号の受信品質が所定品質を満たした場合に、第１セルから第２セルへの遷移を開始する。
【００６６】
なお、第１セルにおいてＵＥ１０が位置登録を行っているため、第２セルの周波数を特定するために、間欠受信（ＤＲＸ）が用いられる。すなわち、ＵＥ１０は、第１セルからの信号を監視していない期間において、第２セルの周波数を探索する。
【００６７】
また、第１セルから第２セルへの遷移を行うか否かについては、第１セル及び第２セルの優先度（Ｐｒｉｏｒｉｔｙ）に基づいて、ＵＥ１０によって判断されてもよい。或いは、第１セルから第２セルへの遷移を行うか否かについては、ＵＥ１０から報告される受信品質に基づいて、ＲＮＣ１２０Ａ（或いは、ＨｅＮＢ２１０やＨｅＮＢ−ＧＷ２２０）によって判断されてもよい。
【００６８】
（３．３）ケース３
ＵＥ１０が第１セルとコネクト状態である場合に、ＵＥ１０は、第２セルから報知される信号（例えば、パイロットチャネル）の受信品質を測定せずに、ハンドオーバ手順によって、第１セルから第２セルへの遷移を開始する。なお、ケース３では、特定セルの周波数が第１セル（現在通信中のセル）及び第２セルの周波数と同じであることを前提とする。
【００６９】
具体的には、ＵＥ１０は、特定セルが検出された場合に、ハンドオーバ手順の一環として、特定セルから報知される信号（例えば、パイロットチャネル）の受信品質を報告する。
【００７０】
なお、第１セル（或いは、特定セル）から第２セルへの遷移を行うか否かについては、ＵＥ１０から報告される受信品質に基づいて、ＲＮＣ１２０Ａ（或いは、ＨｅＮＢ２１０やＨｅＮＢ−ＧＷ２２０）によって判断される。すなわち、特定セルの周波数が第１セルの周波数と同じであるため、第１セルから報知される信号（例えば、パイロットチャネル）の受信品質に代えて、特定セルから報知される信号（例えば、パイロットチャネル）の受信品質に基づいて、第１セル（或いは、特定セル）から第２セルへの遷移を行うか否かが判断される。
【００７１】
従って、ケース３では、第２セルから報知される信号（例えば、パイロットチャネル）の受信品質を測定する必要がないため、“ｃｏｍｐｒｅｓｓｅｄ  ｍｏｄｅ”を適用する必要がないことに留意すべきである。
【００７２】
（３．４）ケース４
第１セルにおいてＵＥ１０がコネクト状態である場合に、ＵＥ１０は、第２セルから報知される信号（例えば、パイロットチャネル）の受信品質の測定（異周波数測定）を行って、ハンドオーバ手順によって、第１セルから第２セルへの遷移を開始する。なお、ケース４では、特定セルの周波数が第１セル（現在通信中のセル）と同じであることを前提とする。
【００７３】
具体的には、ＵＥ１０は、特定セルが検出された場合に、特定セルから報知される信号（例えば、パイロットチャネル）の受信品質を報告する。ＲＮＣ１２０Ａ（或いは、ＨｅＮＢ２１０やＨｅＮＢ−ＧＷ２２０）は、ＵＥ１０から報告された特定セルの受信品質に基づいて、第２セルの周波数の測定（異周波数測定）を開始するか否かを判断する。ＵＥ１０は、異周波数測定を開始すると判定された場合に、第２セルから報知される信号（例えば、パイロットチャネル）の受信品質を測定する。
【００７４】
なお、第２セルへの遷移を行うか否かについては、ＵＥ１０から報告される第２セルの受信品質に基づいて、ＲＮＣ１２０Ａ（或いは、ＨｅＮＢ２１０やＨｅＮＢ−ＧＷ２２０）によって判断される。
【００７５】
なお、第１セルの周波数を用いてＵＥ１０が通信を行っているため、第２セルの周波数を特定するために、“ｃｏｍｐｒｅｓｓｅｄ  ｍｏｄｅ”が用いられる。すなわち、ＵＥ１０は、第１セルからの信号を監視していない期間において、第２セルの周波数を探索する。また、ＵＥ１０は、第１セルからの信号を監視していない期間において、第２セルから報知される信号の受信品質を測定する。
【００７６】
なお、ケース４において、特定セルから報知される報知情報が得られる場合には、ＵＥ１０は、第２セルの周波数を探索せずに、特定セルから報知される報知情報に基づいて、第２セルの周波数を特定することができる。
【００７７】
また、第１セルから第２セルへの遷移を行うか否かについては、第１セル及び第２セルの優先度（Ｐｒｉｏｒｉｔｙ）に基づいて、ＲＮＣ１２０Ａ（或いは、ＨｅＮＢ２１０やＨｅＮＢ−ＧＷ２２０）によって判断されてもよい。
【００７８】
（移動通信システムの動作）
以下において、第１実施形態に係る移動通信システムの動作について、図面を参照しながら説明する。図４は、第１実施形態に係る移動通信システム１００の動作を示すシーケンス図である。ここでは、上述したケース（４）を例に挙げて、移動通信システム１００の動作について説明する。
【００７９】
図４に示すように、ステップ１０にいて、ＵＥ１０は、ＮＢ１１０Ａに設けられた第１セルを介してＲＮＣ１２０Ａと通信を行っている。
【００８０】
ステップ２０において、ＵＥ１０は、パイロットＨＮＢ１１０Ｂに設けられた特定セルを検出する。
【００８１】
ステップ３０において、ＵＥ１０は、特定セルの検出に応じて、“ｃｏｍｐｒｅｓｓｅｄ  ｍｏｄｅ”を用いて、第２セルの周波数を特定するとともに、第２セルの周波数の測定（異周波数測定）を行う。続いて、ＵＥ１０は、第２セルから報知される信号（例えば、パイロットチャネル）の受信品質（Ｍｅａｓｕｒｅｍｅｎｔ  Ｒｅｐｏｒｔ）をＲＮＣ１２０Ａに報告する。
【００８２】
ステップ４０において、ＲＮＣ１２０Ａは、第１セルから第２セルへの遷移を要求する情報（ＲＥＬＯＣＡＴＩＯＮ  ＲＥＱＵＩＲＥＤ）をＨｅＮＢ−ＧＷ２２０に送信する。
【００８３】
ステップ５０において、ＨｅＮＢ−ＧＷ２２０は、第１セルから第２セルへの遷移を要求する情報（ＲＥＬＯＣＡＴＩＯＮ  ＲＥＱＵＩＲＥＤ）をＨｅＮＢ２１０に転送する。
【００８４】
ステップ６０において、ＨｅＮＢ２１０は、第１セルから第２セルへの遷移を指示する情報（ＲＥＬＯＣＡＴＩＯＮ  ＣＯＭＭＡＮＤ）をＲＮＣ１２０Ａに送信する。
【００８５】
ステップ７０において、ＲＮＣ１２０Ａは、第１セルから第２セルへの遷移を指示する情報（ＨＡＮＤＯＶＥＲ  ＦＲＯＭ  ＵＴＲＡＮ  ＣＯＭＭＡＮＤ）をＵＥ１０に送信する。
【００８６】
ステップ８０において、ＲＮＣ１２０Ａは、第１セルから第２セルへの遷移が完了したことを示す情報（ＲＲＣ  ＣＯＮＮＥＣＴＩＯＮ  ＲＥＣＯＮＦＩＧＵＲＡＴＩＯＮ  ＣＯＭＰＬＥＴＥ）をＨｅＮＢ２１０に送信する。
【００８７】
ステップ９０において、ＵＥ１０は、ＨｅＮＢ２１０に設けられた第２セルを介してＨｅＮＢ−ＧＷ２２０と通信を行う。
【００８８】
（作用及び効果）
第１実施形態では、パイロットＨＮＢ１１０Ｂに設けられた特定セルは、ＨｅＮＢ２１０に設けられた第２セルのサービスエリア２１１と同じ範囲をサービスエリア１１１Ｂとして有しており、ＵＥ１０は、特定セルの検出に応じて、ＨｅＮＢ２１０に設けられた第２セルの測定或いはＮＢ１１０Ａに設けられた第１セルからＨｅＮＢ２１０に設けられた第２セルへの遷移を開始する。従って、第２セルについて冗長な測定が抑制され、電池消耗を抑制しながら、第１通信システム（第１セル）と第２通信システム（第２セル）との間の遷移を適切に行うことができる。特に、第２セル（ＬＴＥのセル）が設けられたビルやマンションの入口付近に特定セルを第２セルとカバレッジが重複するような特定セルを設けることによって、ＵＥ１０の効率的な第２セルへの遷移を実現し得る。また、当該ビルやマンション内部では、ＵＥ１０に不要な受信品質の測定をさせないようにすることができる。
【００８９】
第１実施形態では、第１セルから第２セルに遷移させる必要があるＵＥ１０を限定する情報（例えば、ＣＳＧ  ＩＤ）を含む報知情報が特定セルから報知される場合には、第２セルに遷移する必要がないＵＥ１０が第２セルの周波数を測定する必要がない。従って、第２セルについて冗長な測定が抑制され、電池消耗を抑制することができる。
【００９０】
［変更例１］
以下において、第１実施形態の変更例１について、図面を参照しながら説明する。以下においては、第１実施形態との相違点について主として説明する。
【００９１】
具体的には、変更例１では、図５に示すように、第２通信システムに対応するサービスエリアとして、複数のサービスエリア２１１がサービスエリア２１２の周囲に設けられている。なお、サービスエリア２１２は、例えば、ビルやマンションなどの建物Ｘをカバーするエリアである。
【００９２】
また、第１通信システムに対応するサービスエリアとして、複数のサービスエリア１１１Ａ及び複数のサービスエリア１１１Ｂが設けられている。各サービスエリア１１１Ｂは、各サービスエリア２１１と同じ範囲を有している。
【００９３】
ここで、ＵＥ１０は、第１実施形態と同様に、サービスエリア１１１Ｂを有する特定セルの検出に応じて、サービスエリア２１１を有する第２セルへの遷移を開始する。
【００９４】
なお、サービスエリア２１１は、ビルやマンションなどの建物Ｘの入口にのみ設けられていてもよい。
【００９５】
（作用及び効果）
変更例１では、ＵＥ１０は、サービスエリア２１２の周囲に設けられたサービスエリア１１１Ｂを有する特定セルの検出に応じて、サービスエリア２１１を有する第２セルへの遷移を開始する。従って、例えば、建物Ｘの中において第２通信システムを利用させたいケースにおいて、電池の消耗を抑制しながら、第１通信システム（第１セル）から第２通信システム（第２セル）への遷移を適切に行うことができる。
【００９６】
［変更例２］
以下において、第１実施形態の変更例２について、図面を参照しながら説明する。以下においては、第１実施形態との相違点について主として説明する。
【００９７】
具体的には、第１実施形態では、パイロットＨＮＢ１１０Ｂの上位ノードは、ＲＮＣ１２０Ａである。一方で、変更例２では、図６に示すように、パイロットＨＮＢ１１０Ｂの上位ノードは、ホーム基地局ゲートウェイ１２０Ｂ（以下、ＨＮＢ−ＧＷ１２０Ｂ）である。
【００９８】
変更例２では、ＨＮＢ−ＧＷ１２０Ｂは、ＲＮＣ１２０Ａに代わって、パイロットＨＮＢ１１０Ｂを管理する。すなわち、ＨＮＢ−ＧＷ１２０Ｂは、ＨＮＢ−ＧＷ１２０Ｂの配下に属する装置に対して、ＲＮＣ１２０Ａと同様の機能を提供する。
【００９９】
［変更例３］
以下において、第１実施形態の変更例３について、図面を参照しながら説明する。以下においては、第１実施形態との相違点について主として説明する。
【０１００】
具体的には、第１実施形態では、ＨｅＮＢ２１０の上位ノードは、ＨｅＮＢ−ＧＷ２２０である。一方で、変更例３では、図７に示すように、ＨｅＮＢ２１０の上位ノードは、ＭＭＥ２３０である。すなわち、ＨｅＮＢ−ＧＷ２２０が省略されている。
【０１０１】
変更例３では、ＨｅＮＢ−ＧＷ２２０が有する機能は、ＨｅＮＢ２１０又はＭＭＥ２３０によって提供される。或いは、ＨｅＮＢ−ＧＷ２２０が有する機能は、ＨｅＮＢ２１０及びＭＭＥ２３０の双方によって提供される。
【０１０２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０３】
上述した実施形態では、第１通信システムがＵＭＴＳに対応する通信システムであり、第２通信システムがＬＴＥに対応する通信システムである。すなわち、ＵＥ１０は、ＵＭＴＳに設けられた特定セルの検出に応じて、ＵＭＴＳからＬＴＥへの遷移を開始する。しかしながら、実施形態は、これに限定されるものではない。
【０１０４】
例えば、第１通信システムがＬＴＥに対応する通信システムであり、第２通信システムがＵＭＴＳに対応する通信システムであってもよい。このようなケースでは、ＬＴＥにおいて特定セルが設けられている。ＵＥ１０は、ＬＴＥに設けられた特定セルの検出に応じて、ＬＴＥからＵＭＴＳへの遷移を開始する。
【０１０５】
或いは、ＵＭＴＳに対応する通信システム及びＬＴＥに対応する通信システムの双方に特定セルが設けられていてもよい。このようなケースでは、ＵＥ１０は、ＵＭＴＳに設けられた特定セルの検出に応じて、ＵＭＴＳからＬＴＥへの遷移を開始し、ＬＴＥに設けられた特定セルの検出に応じて、ＬＴＥからＵＭＴＳへの遷移を開始する。
【０１０６】
なお、上述したＵＥ１０の動作は、ハードウェアによって実施されてもよいし、プロセッサによって実行されるソフトウェアモジュールによって実施されてもよいし、両者の組み合わせによって実施されてもよい。
【０１０７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１０８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥ１０内に設けられていてもよい。また、かかる記憶媒体及びプロセッサは、ディスクリートコンポーネントとしてＵＥ１０内に設けられていてもよい。
【０１０９】
なお、日本国特許出願第２００９−２７２４４６号（２００９年１１月３０日出願）の全内容が、参照により、本願明細書に組み込まれている。
【産業上の利用可能性】
【０１１０】
本発明によれば、電池消耗を抑制しながら、第１通信システムと第２通信システムとの間の遷移を適切に行うことを可能とする移動通信端末、移動通信システム及び移動通信方法を提供することができるができるため、無線通信などにおいて有用である。
【符号の説明】
【０１１１】
１０…通信端末装置、１１…通信部、１２…検出部、１３…制御部、１１０Ａ…ＮＢ、１１０Ｂ…パイロットＨＮＢ、１１１Ａ…サービングエリア、１１１Ｂ…サービングエリア、１１３…報知情報送信部、１１５…通信部、１２０Ａ…ＲＮＣ、１２０Ｂ…ＨＮＢ−ＧＷ、１２３…状態取得部、１２５…遷移指示部、１３０…ＳＧＳＮ、２１０…ＨｅＮＢ、２２０…ＨｅＮＢ−ＧＷ、２３０…ＭＭＥ、５０…コアネットワーク、１００…移動通信システム
【図１】
0005519700.tif 000002
【図２】
0005519700.tif 000003
【図３】
0005519700.tif 000004
【図４】
0005519700.tif 000005
【図５】
0005519700.tif 000006
【図６】
0005519700.tif 000007
【図７】
0005519700.tif 000008